(57)【特許請求の範囲】
【請求項１】
仮想点を中心にして所定の半径で所定の長さに形成されている少なくとも一つの円弧状の長溝と露光用の開口部とを有している地板と、一方の面に前記長溝の半径と同一半径であって前記長溝の長さよりも短い円弧状の凸部を有しており該凸部を前記長溝に摺動可能に嵌合させている少なくとも１枚の羽根と、ピンと長孔との嵌合構成によって前記羽根と連結しており往復作動することによって前記凸部を前記長溝内で往復作動させ前記羽根を前記開口部の内外に往復作動させる駆動部材と、を備えていることを特徴とするカメラ用羽根作動機構。
【請求項２】
前記凸部が該凸部の長さ方向に離れて設けられた複数の凸部で形成されていることを特徴とする請求項１に記載のカメラ用羽根作動機構。
【請求項３】
前記複数の凸部の相互間がリブによって補強されていることを特徴とする請求項２に記載のカメラ用羽根作動機構。
【請求項４】
前記駆動部材はカム形状の長孔を有したリング状をしていて、前記開口部を囲んで往復回転可能に配置されていることを特徴とする請求項１乃至３の何れかに記載のカメラ用羽根作動機構。
【請求項５】
前記地板が、前記仮想点を中心にして前記長溝よりも大きい半径で所定の長さに形成された少なくとも一つの案内部を有していて、前記羽根が作動するとき、前記凸部形成面とは反対の面の一部を該案内部に摺接させ得るようにすると共に、前記ピンに抜け止め部材が取り付けられていて、前記ピンが前記長孔から抜けないようにしたことを特徴とする請求項１乃至３の何れかに記載のカメラ用羽根作動機構。
【請求項６】
前記羽根が、前記開口部よりも小さくて前記開口部に挿入可能な少なくとも一つの開口部を有していることを特徴とする請求項５に記載のカメラ用羽根作動機構。
【請求項７】
前記羽根が前記地板と別の地板との間に配置されていて、前記羽根が作動するとき、前記凸部形成面とは反対の面に設けられた摺接部の先端が該別の地板に摺接し得るようにしたことを特徴とする請求項１乃至３の何れかに記載のカメラ用羽根作動機構。
【請求項８】
前記地板と前記駆動部材が各々二つ設けられており、それらの二つの地板の間を第３の板部材で仕切って二つの羽根室を構成し、それらの羽根室に夫々別々の前記羽根を前記駆動部材の各々に連結して配置し、それらの羽根が作動するとき、それらの前記凸部形成面とは反対の面に設けられた摺接部の先端が該第３の板部材に摺接し得るようにしたことを特徴とする請求項１乃至３の何れかに記載のカメラ用羽根作動機構。
【請求項９】
前記凸部が前記長溝の長さ方向の両端に当接することによって、前記羽根の作動範囲が規制されるようにすると共に、前記長溝が前記地板を貫通せず奥壁部を有するように形成されていて、前記凸部の先端が該長溝の深さ方向では該奥壁部を摺動し得るようにしたことを特徴とする請求項１乃至８の何れかに記載のカメラ用羽根作動機構。
【発明の詳細な説明】
【０００１】
【発明の属する技術分野】
本発明は、１枚又は複数枚の羽根を往復回転可能に構成した、絞り機構としてもシャッタ機構としても採用することの可能なカメラ用羽根作動機構に関する。
【０００２】
【従来の技術】
最近のカメラ用絞り機構には、絞り羽根が１枚のものと、２枚のものと、３枚以上のものとがある。また、各絞り羽根は、殆どの場合、往復回転するように構成されている。そして、絞り羽根が１枚だけのものは、一つ又は二つ以上の円形の絞り開口部を有していて、その絞り羽根を回転させることによって、所望の開口部を選択し得るように構成されている。また、絞り羽根が２枚のものは、それらを同時に且つ異なる方向へ回転させることにより、所望の絞り口径を得るように構成されている。更に、絞り羽根が３枚以上のものは、光軸を中心にして往復回転し得るように配置された駆動リングが、それらの絞り羽根を同時に且つ同じ方向へ回転させることによって、所望の絞り口径を得るように構成されている。
【０００３】
他方、カメラ用シャッタ機構には、レンズシャッタ機構とフォーカルプレンシャッタ機構とがある。そして、レンズシャッタ機構の場合には、シャッタ羽根が１枚のものと、２枚のものと、３枚以上のものとがあるが、特殊なタイプのものは別として、いずれの場合にも、各シャッタ羽根は往復回転するように構成されている。そのうち、シャッタ羽根が１枚だけのものは、シャモジ状のシャッタ羽根を往復回転させて、円形の露光用開口部を開閉するようにしている。また、シャッタ羽根が２枚のものとしては、それらを同時に且つ異なる方向へ往復回転させることによって、露光用開口部を開閉するように構成している。更に、シャッタ羽根が３枚以上のものは、光軸を中心にして往復回転するように配置された駆動リングが、それらのシャッタ羽根を同時に且つ同じ方向へ往復回転させることによって、露光用開口部を開閉するように構成している。従って、レンズシャッタ機構の場合にも、その殆どのものは、シャッタ羽根を往復回転させるように構成されているといえる。
【０００４】
また、フォーカルプレンシャッタ機構の場合は、先羽根と後羽根とを備えているものが多いが、それらの先羽根と後羽根は実質的に同じ構成をしていて、最近のものは、地板に対して回転可能に取り付けられたアームと称されている二つのリンク部材に、１枚だけか２枚以上の羽根を枢支しているのが普通である。しかしながら、フォーカルプレンシャッタ機構の中には、アームを用いることなく、先羽根と後羽根を各々１枚の羽根のみで構成し、それらを異なるタイミングで同じ方向へ回転させるようにしたものが知られている。従って、フォーカルプレンシャッタ機構の中にも、各々先羽根と後羽根を構成する２枚のシャッタ羽根を、地板に対して直接回転可能に取り付けるようにしたものがある。
【０００５】
このように、絞り機構の場合にも、シャッタ機構の場合にも、羽根が１枚の場合と、２枚の場合と、３枚以上の場合とがある。そして、当然のことながら、夫々の機能や具体的な形状等においては異なる点があるとはいえ、地板に対する各羽根の取付け構成は、基本的には同じ構成をしているといえる。即ち、いずれの場合も、各羽根は、地板に対して回転可能に取り付けられており、その回転軸とは異なる部位において、ピンと長孔との連結構成によって駆動部材に連結されていて、その駆動部材の往復作動に連動して往復回転させられるようになっている。
【０００６】
【発明が解決しようとする課題】
ところで、上記のように絞り機構やレンズシャッタ機構が１枚の羽根で構成されている場合や、フォーカルプレンシャッタ機構の先羽根と後羽根が各々１枚の羽根で構成されている場合には、各羽根は、露光用開口部をカバーする大きな外形領域を有している必要があるため、当然、羽根の面積は大きくなる。そして、駆動部材の小さな作動量によって、羽根に所定量の回転作動を行わせるようにしようとすると、その羽根の回転軸と、駆動部材に対する連結部とを光軸から離れた位置に配置させて、且つその回転軸と連結部とを接近させて配置することが必要になる。そのため、光軸と垂直な面に対する羽根の姿勢が、停止しているときも作動しているときも、不安定なものになってしまうという問題点がある。また、上記のように回転軸と連結部とを接近させて配置していると、羽根と連結している駆動部材を羽根室内に配置したいとき、回転軸の存在によってその配置に制約を受けてしまうという問題点もある。
【０００７】
また、絞り機構やレンズシャッタ機構が２枚の羽根で構成されているものは、１枚当たりの羽根の面積を小さくすることが可能にはなるが、基本的には、２枚で構成しても、１枚の羽根で構成した上記のものと同じ問題点が存在する。そして、レンズシャッタ機構の場合には、１枚当たりの羽根の面積を小さくすると漏光の心配が生じるために、３枚目の羽根を漏光防止専用の羽根として設けるようにしたものが知られているが、そのような構成を採用する場合には、２枚の羽根の回転軸の存在によって、３枚目の羽根の回転軸の配置が制約を受けてしまうという問題点もある。
【０００８】
更に、上記のように絞り機構やレンズシャッタ機構を３枚以上の羽根で構成したものは、羽根の小さい回転角度によって露光用開口部の大部分又は全てを閉じ得るようにしようとすると、駆動リングと羽根との連結部よりも光軸から離れた位置に、回転軸を配置しなければならなくなる。ところが、３枚以上の羽根は露光用開口部を囲むようにして取り付けるのが普通であるから、羽根の大きさが大きくなるばかりでなく、地板の外径が必要以上に大きくなってしまい、カメラのコンパクト化にとって極めて不利になってしまうという問題点がある。
【０００９】
本発明は、このような問題点を解決するためになされたものであり、その目的とするところは、絞り機構やシャッタ機構を構成している各羽根を、従来のような回転軸を設けることなく回転させることが可能であって、駆動部材の小さい作動量で絞り口径の制御や露光用開口部の開閉を可能にしたカメラ用羽根作動機構を提供することである。
【００１０】
【課題を解決するための手段】
上記の目的を達成するために、本発明のカメラ用羽根作動機構は、仮想点を中心にして所定の半径で所定の長さに形成されている少なくとも一つの円弧状の長溝と露光用の開口部とを有している地板と、一方の面に前記長溝の半径と同一半径であって前記長溝の長さよりも短い円弧状の凸部を有しており該凸部を前記長溝に摺動可能に嵌合させている少なくとも１枚の羽根と、ピンと長孔との嵌合構成によって前記羽根と連結しており往復作動することによって前記凸部を前記長溝内で往復作動させ前記羽根を前記開口部の内外に往復作動させる駆動部材と、を備えているようにする。
【００１１】
また、本発明のカメラ用羽根作動機構においては、前記凸部が該凸部の長さ方向に離れて設けられた複数の凸部で形成されているようにしてもよい。そして、その場合には、前記複数の凸部の相互間がリブによって補強されているようにすると、作動中における羽根の撓みをなくし、作動を安定化することが可能になる。
【００１２】
また、本発明のカメラ用羽根作動機構においては、前記駆動部材はカム形状の長孔を有したリング状をしていて、前記開口部を囲んで往復回転可能に配置されているようにすると、３枚以上の羽根を備える場合に有利な構成となる。
【００１３】
また、本発明のカメラ用羽根作動機構においては、前記地板が、前記仮想点を中心にして前記長溝よりも大きい半径で所定の長さに形成された少なくとも一つの案内部を有していて、前記羽根が作動するとき、前記凸部形成面とは反対の面の一部を該案内部に摺接させ得るようにすると共に、前記ピンに抜け止め部材が取り付けられていて、前記ピンが前記長孔から抜けないようにすると、もう一つの地板との間に羽根室を構成する必要がなくなると共に、羽根の作動を一層安定化することが可能となる。
【００１４】
また、本発明のカメラ用羽根作動機構においては、前記羽根が、前記開口部よりも小さくて前記開口部に挿入可能な少なくとも一つの開口部を有しているようにすると、好適な構成の絞り機構が得られる。
【００１５】
また、本発明のカメラ用羽根作動機構においては、前記羽根が前記地板と別の地板との間に配置されていて、前記羽根が作動するとき、前記凸部形成面とは反対の面に設けられた摺接部の先端が該別の地板に摺接し得るようにすると、羽根の作動が一層スムーズに行われるようになる。
【００１６】
また、本発明のカメラ用羽根作動機構においては、前記地板と前記駆動部材が各々二つ設けられており、それらの二つの地板の間を第３の板部材で仕切って二つの羽根室を構成し、それらの羽根室に夫々別々の前記羽根を前記駆動部材の各々に連結して配置し、それらの羽根が作動するとき、それらの前記凸部形成面とは反対の面に設けられた摺接部の先端が該第３の板部材に摺接し得るようにすると、好適な構成のフォーカルプレンシャッタ機構が得られる。
【００１７】
更に、本発明のカメラ用羽根作動機構においては、前記凸部が前記長溝の長さ方向の両端に当接することによって、前記羽根の作動範囲が規制されるようにすると共に、前記長溝が前記地板を貫通せず奥壁部を有するように形成されていて、前記凸部の先端が該長溝の深さ方向では該奥壁部を摺動し得るようにすると、羽根の停止位置が正確に得られるようになると共に、羽根面が地板に対して接触しにくくなり、好適な作動が得られるようになる。
【００１８】
【発明の実施の形態】
本発明の実施の形態を、図１〜図１１に示した四つの実施例によって説明する。なお、図１から図３は第１実施例を説明するためのものであり、図４〜図６は第２実施例を説明するためのものであり、図７〜図９は第３実施例を説明するためのものであり、図１０及び図１１は第４実施例を説明するためのものである。尚、図１、図３、図４、図６、図７、図９、図１０及び図１１においては、各実施例の羽根形状とは異なる従来の羽根形状部分を二点鎖線で示している。
【００１９】
〔第１実施例〕
第１実施例は、地板に対して円弧状の軌跡を描いて作動する１枚の絞り羽根を備えた絞り機構に関するものである。そして、図１及び図３は、本実施例を撮影者側から視た平面図であり、図２は図１に示すＡ−Ａ線断面図である。
【００２０】
本発明では、見かけ上の羽根の回転中心は存在するが、従来の技術のように羽根自体に軸や孔として回転中心が形成されていない。そのため、そのような見かけ上の回転中心を、以下の各実施例の説明において、仮想点と称する。地板１は、外周縁を起立させて略円板状に形成されており、その略中央には円形をした露光開口を規制する開口部１ａを有し、開口部１ａと地板外周縁の間には、貫通した略台形の窓部１ｂを有している。
【００２１】
この地板１には、円弧状の長溝１ｃが設けられている。この長溝１ｃは、後述する絞り羽根２の仮想点（図１及び図３の軸５の中心と重なる×印）から開口部１ａまでの長さよりもやや短い半径で形成されている。そして、この長溝１ｃは、地板１を貫通しておらず、その底部に奥壁部１ｃ−１を有しており、また、この長溝１ｃの長さ方向の両端は、後述の絞り羽根２の作動範囲を規制する構成となっているが、このことは、以下に説明する他の実施例においても同様である。更に、地板１には、断面鉤状（図２参照）の案内部１ｄが設けられているが、この案内部１ｄは、長溝１ｃよりも大きい半径の円弧上に設けられている。
【００２２】
絞り羽根２はシャモジ状をしており、根本部には貫通した長孔２ａを形成し、先端部近傍は、開口部１ａより大きな幅広部として形成されている。そして、その幅広部には、開口部１ａの直径よりも小さい直径の開口部２ｂが、開口部１ａに挿入したときに同心円となるようにして形成されている。
【００２３】
また、絞り羽根２の地板１側には、上記した長溝１ｃに摺動可能に嵌合する凸部２ｃが形成されている。この凸部２ｃは、上記した仮想点を中心にして、長溝１ｃの半径と同一の半径で円弧状に形成されている。また、この凸部２ｃは、絞り羽根２の板面からの突出量が奥壁部１ｃ−１の深さよりも大きい構成となっている。また、凸部２ｃの長さは、絞り羽根２の幅方向全域に亙る長さであって、長溝１ｃの約半分の長さとしており、その長さ方向の両端面が円弧面に形成されている。
【００２４】
この絞り羽根２は、ピン３と連結されている。即ち、図２に示すように、駆動部材４が、地板１の軸５に対して回転可能に取り付けられており、そのピン３が、地板１の窓部１ｂを貫通して絞り羽根２の長孔２ａに嵌合している。また、ピン３の先端近傍の外周には溝が切ってあり、この溝に抜け止め部材としてのＥリング６が取り付けられていて、絞り羽根２と摺接可能になっている。なお、駆動部材４は、軸５を回転中心として、図示しない駆動源により往復回転されるようになっている。また、本実施例の場合は、駆動部材４と絞り羽根２が、駆動部材４のピン３と羽根２の長孔２ａとによって連結されているが、ピンを絞り羽根２に設け、長孔を駆動部材４に設けてもよく、このことは以下の三つの実施例の場合も同じである。
【００２５】
次に、本実施例の作動について説明する。図１は、本実施例における絞り機構の初期状態、即ち撮影が行われていないときの状態を示したものである。このとき、絞り羽根２は開口部１ａを覆っておらず、一方の面に設けた凸部２ｃの先端面を奥壁部１ｃ−１に接触させ、他方の面を、Ｅリング６と、案内部１ｄの鉤状内側に接触させて、この状態が維持されている。そして、大きい絞り口径を選択して撮影するときには、この図１の状態で撮影が行われる。
【００２６】
また、小さい絞り口径を選択して撮影するときには、その直前において、駆動源により駆動部材４が軸５を中心として反時計回りに作動させられ、ピン３によって絞り羽根２を作動させる。それによって、絞り羽根２は、凸部２ｃが長溝１ｃに案内され、上記の仮想点を中心にして反時計回りに作動させられてゆくが、凸部２ｃが長溝１ｃの進行方向の端面に当接することによって停止させられ、図３に示すように、露光開口が開口部２ｂによって規制される状態になる。そして、この状態が得られた直後に撮影が行われる。
【００２７】
そして、撮影が終了すると、駆動部材４は時計回りに回転させられ、ピン３によって絞り羽根２を作動させる。そのため、絞り羽根２は、その凸部２ｃが長溝１ｃ内を摺動して、上記仮想点を中心に時計回りで作動してゆき、凸部２ｃが長溝１ｃの上記とは反対方向の端部に当接して停止させられ、図１の状態になる。
【００２８】
このように、絞り羽根２に凸部２ｃを設けて、この凸部２ｃに摺接する長溝１ｃを地板１に設けると、回転軸を設けずに絞り羽根２を作動させて絞り口径の制御をすることができるので、従来の羽根よりも羽根の面積を小さくすることもできる。また、従来のような回転軸を設けないので、羽根と連結している駆動部材の配置の自由度が大きくなる。また、凸部２ｃの先端面を長溝１ｃの奥壁部１ｃ−１に摺接させることによって、絞り羽根２の板面が地板１と接触しにくい構成としているので、絞り羽根２の作動がスムーズとなる。また、地板１に案内部１ｄを設けて、この案内部１ｄの内側と絞り羽根２の先端部とが摺接する構成としたので、地板１と別の地板とによって羽根室を設けなくても、光軸と垂直な面に対する絞り羽根２の姿勢を安定させることができる。更に、抜け止め部材としてＥリング６を設けているので、Ｅリング６と案内部１ｄの内側の２点で絞り羽根２を支持する構成となり、絞り羽根２の姿勢が一層安定する。
【００２９】
なお、上記した本実施例では羽根室を設けていないが、本発明は地板１と別の地板とによって羽根室を設けることを妨げるものではなく、そのようにして羽根室を設けた場合には、上記した案内部１ｄとＥリング６を設けない構成とすることもできる。
【００３０】
また、本実施例においては、絞り羽根２に一つの開口部２ｂを設けているが、絞り羽根２の幅広部を広げ、直径の異なる複数の開口部を設けることによって、それらの中から所定の絞り口径を選択可能にすることができる。また、本実施例は絞り機構として構成されているが、上記した開口部２ｂを設けない構成とすることによって、シャッタ機構とすることもできる。
【００３１】
なお、本実施例における駆動部材４は手動で動かされるようにしても、モータやばねによって動かされるようにしても構わないが、上記のようにしてシャッタ機構として構成した場合には手動ということはあり得ない。また、モータを駆動源とした場合には、ピン３をモータの出力ピンとしてもよく、そのようにした場合には、モータの回転子が本発明でいう駆動部材ということになる。そして、これらのことは、以下で説明する三つの実施例においても同じである。
【００３２】
〔第２実施例〕
第２実施例は、本発明を２枚羽根を有するシャッタ機構として構成したものである。なお、図４及び図６は、本実施例を撮影者側から視た平面図であり、図５は図４に示すＢ−Ｂ線断面図であるが、図面を見やすくするために、図４及び図６においては、図５に示されている補助地板８の図示を省略してある。
【００３３】
本実施例においては、外周縁を起立させて遮光壁とした略円板状の地板７と、その地板７の外形と略同形状の外形をした補助地板８とで羽根室を形成している。この地板７は、第１実施例における地板１と同様に、露光開口を規制する開口部７ａ及び貫通孔である窓部７ｂを有している。
【００３４】
また、地板７の羽根室側の面には、２枚のシャッタ羽根９，１０に夫々対応させて長溝７ｃ,７ｄが設けられている。即ち、長溝７ｃは、シャッタ羽根９の仮想点（図４及び図６の右下の×印）を中心にして円弧状に形成され、その底部に奥壁部７ｃ−１を有している。また、長溝７ｄは、シャッタ羽根１０の仮想点（図４及び図６の左下の×印）を中心にして円弧状に形成され、その底部に奥壁部７ｄ−１を有している。
【００３５】
シャッタ羽根９，１０は、根本部に長孔９ａ，１０ａを形成し、先端には地板７側へと突出した２組のピン状の凸部９ｂ，９ｂ，１０ｂ，１０ｂが設けられていて、各々１組の凸部の間にはリブが形成され、亜鈴形状になっている。そして、凸部９ｂ，９ｂは長溝７ｃと同一半径上に形成されていて、長溝７ｃと摺動可能に嵌合し、凸部１０ｂ，１０ｂは長溝７ｄと同一半径上に形成されていて、長溝７ｄと摺動可能に嵌合しているが、凸部９ｂ，９ｂ，１０ｂ，１０ｂは、その突出量が長溝７ｃ，７ｄの深さよりも大きくなるように形成されている。
【００３６】
シャッタ羽根９，１０には、補助地板８に接するピン状の摺接部９ｃ，１０ｃを設けてある。本実施例では、これらの摺接部９ｃ，１０ｃを、シャッタ羽根９，１０の先端部に設けているが、シャッタ羽根９，１０の作動に影響を与えない位置であればどこでも良く、例えば、図４及び図６における＊印の位置に設けても良い。
【００３７】
地板７の窓部７ｂの縁には、図５に示されているような肉厚部７ｅが設けられている。そして、この肉厚部７ｅは、シャッタ羽根９と摺接するようになっている。また、補助地板８の羽根室側にも、この肉厚部７ｅと重なる位置に、同様にして肉厚部８ａが設けられ、シャッタ羽根１０と摺接するようになっている。シャッタ羽根９，１０は、このようにして羽根室内に配置されているので、作動時においても停止時においても、光軸と垂直な面に対する姿勢が安定して得られるようになっている。
【００３８】
また、シャッタ羽根９，１０は、図示しない駆動源によって動かされる駆動部材のピン１１に連結されている。即ち、図５に示すように、このピン１１は、地板７の窓部７ｂから羽室内に挿入され、シャッタ羽根９，１０の長孔９ａ，１０ａに嵌合しており、その先端部は、補助地板８の肉厚部８ａに囲まれて形成されている窪み部８ｂ内に遊嵌している。
【００３９】
次に、本実施例の作動について説明する。図４はシャッタの閉鎖状態を示している。このとき、ピン１１は窓部７ｂ内の光軸中心に近い端部にある。また、凸部９ｂ，９ｂの一方と凸部１０ｂ，１０ｂの一方は、長溝７ｃ，７ｄの夫々の端部に接しており、シャッタ羽根９，１０は互いに重なり量が最大となっている。この状態で撮影が開始されると、図示しない駆動部材によりピン１１が窓部７ｂ内を地板７の外周縁に向かって移動してゆく。そのため、シャッタ羽根９，１０が同時に異なる方向へ動き、開口部７ａを開いてゆくが、そのとき、シャッタ羽根９，１０には回転軸が設けられていないので、シャッタ羽根９は、凸部９ｂ，９ｂが長溝７ｃに案内されて作動し、シャッタ羽根１０は、凸部１０ｂ，１０ｂが長溝７ｄに案内されて作動する。
【００４０】
このとき、シャッタ羽根９，１０の摺接部９ｃ，１０ｃが補助地板８に対して摺動するので、シャッタ羽根１０の板面が補助地板８に対して摺動する場合に比べて摩擦が少なく、また、シャッタ羽根９，１０の凸部９ｂ，９ｂ，１０ｂ，１０ｂの先端が長溝７ｃ，７ｄの奥壁部７ｃ−１、７ｄ−１と摺動するので、シャッタ羽根９の板面が地板７に対して摺動する場合に比べて、摩擦が少ない。更に、シャッタ羽根９，１０は、それらの根本部が肉厚部７ｅ，８ａの間で支持されているため、姿勢が光軸と垂直に保たれ、高速で安定した作動が得られる。そして、凸部９ｂ，９ｂの一方及び凸部１０ｂ，１０ｂの一方が長溝７ｃ、７ｄの進行方向の端部に当接すると、シャッタ羽根９，１０の作動が停止し、図６に示した全開状態となる。
【００４１】
そして、全開状態になると直ちに、又は所定の時間経過後に、図示していない駆動部材が上記とは逆方向に作動させられるので、ピン１１が逆向きに、即ち、窓部７ｂ内を光軸中心側に向けて移動してゆき、それに伴ってシャッタ羽根９，１０がその重なり量を大きくしてゆく。そして、開口部７ａを閉鎖した後、長溝７ｃ，７ｄの上記とは逆方向の端部に凸部９ｂ，９ｂの一方及び凸部１０ｂ，１０ｂの一方が当接することによってシャッタ羽根９，１０の作動が停止し、図４のシャッタ閉鎖状態になる。
【００４２】
このように、本実施例は、シャッタ羽根９，１０が長溝７ｃ，７ｄに案内されて作動するので、従来のような回転軸を設ける必要がない。そのため、シャッタ羽根の形状設計が容易になり、面積を小さくすることも可能になるほか、シャッタ羽根の駆動部材や、シャッタ羽根間からの漏光を防止する公知の漏光防止用羽根の配置の自由度が大きくなる。また、シャッタ羽根９，１０は、地板７との間隔を凸部９ｂ，９ｂ，１０ｂ，１０ｂと肉厚部７ｅで保ち、補助地板８との間隔を摺接部９ｃ，１０ｃと肉厚部８ａで保つので、停止時及び作動時におけるシャッタ羽根９，１０の姿勢が安定する。
【００４３】
なお、本実施例では、二つの凸部９ｂ，９ｂの間と、二つの凸部１０ｂ，１０ｂの間にリブを形成して、亜鈴形状としたのは、作動中において凸部９ｂ，９ｂ間と、凸部１０ｂ，１０ｂ間が、相互の間隔を短くするような力に耐えることができるため、シャッタ羽根の撓みをなくし、作動を安定させることができるようにするためである。尚、凸部の形状や数量は、本実施例の凸部の形状や数量に限られるものではない。そして、このことは他の実施例においても同じである。また、本実施例は、シャッタ機構として構成されているが、羽根の形状を変えることによって絞り機構として構成できることはいうまでもない。また、本実施例においては補助地板８を設ける場合で説明したが、第１実施例で採用されているような、案内部や抜け止め部材を設けることによって、補助地板８を設けないで構成することもできる。ただし、そのような構成は、絞り機構としては有効であるが、シャッタ機構の場合には、漏光防止の観点から特殊な場合に限られる。
【００４４】
〔第３実施例〕
本実施例のカメラ用羽根作動機構は、３枚羽根を採用した絞り機構である。なお、図７及び図９は、撮影者側から視た本実施例の平面図であり、図８は図７に示すＣ−Ｃ線断面図であるが、図面を見やすくするために、図７及び図９においては、図８に示した補助地板１４の外形の図示を省略している。
【００４５】
本実施例の絞り機構は、第１実施例が円形開口部を有する１枚の羽根を往復作動させるものであるのに対し、リング状の駆動部材の往復回転で３枚の羽根を同時且つ同一方向に作動させる、虹彩絞りといわれている絞り機構である。
【００４６】
本実施例の地板１２は、略円板状であり、駆動リング１３の縁を載せる受け部１２ａを外周と同心的に設けており、中央には開口部１２ｂを設けている。また、図８に示されている補助地板１４は地板１２と略同じ外形をしていて、中央には開口部１４ｂ（図７及び図９に一点鎖線で図示）を設けているが、本実施例においては開口部１２ｂが露光開口を規制するものである。そして、地板１２と補助地板１４は、夫々の外周縁を起立させた遮光壁が形成されていて、それらの間に羽根室を構成している。
【００４７】
補助地板１４には、羽根室側の面に三つの長溝１４ａが形成されているが、図７及び図９においてはそれらを一点鎖線で示している。この長溝１４ａは、地板１２の外周付近に×印で示す夫々の仮想点を中心にして円弧状に形成されており、後述する３枚の絞り羽根１６の夫々の凸部１６ａを嵌合させるようになっている。また、本実施例の場合、この長溝１４ａは補助地板１４を貫通せず、その底部に奥壁部１４ａ−１を有している。しかしながら、この長溝１４ａを、補助地板１４を貫通するようにして構成することを妨げるものではない。そして、このことは、他の実施例における円弧状の長溝の場合も同じである。
【００４８】
羽根室内に配置されている駆動リング１３は、図７及び図９に示すように、ドーナッツ状平板であって、その外周の一部に歯部１３ａを形成してある。そして、この歯部１３ａは、駆動源によって回転される歯車（図示せず）に連結されている。また、この駆動リング１３には補助地板１４側に三つのカム形状の長孔１３ｂが設けられている。これらの長孔１３ｂは、通常のように貫通孔で構成してもよいが、本実施例では、図８に示すように、貫通していない。
【００４９】
３枚の絞り羽根１６は同一形状をしており、一方の面には、駆動リング１３の長孔１３ｂと摺動可能に嵌合するピン１５を設け、他方の面には、長溝１４ａと摺動可能に嵌合する円弧状の凸部１６ａを設けてある。そして、この凸部１６ａは、長溝１４ａの長さよりもやや短い長さをしており、上記の仮想点を中心にした半径上の長溝１４ａ内を摺動可能となっている。また、凸部１６ａの高さは、長溝１４ａの深さよりも大きくしてあるので、凸部１６ａの先端が、長溝１４ａの奥壁部１４ａ−１と摺動するので、補助地板１４と絞り羽根１６の板面が接触しにくい構成になっている。
【００５０】
他方、ピン１５の高さは、図８に示すように、駆動リング１３の長孔１３ｂの深さよりも大きくしてあるので、ピン１５が長孔１３ｂ内に嵌合した状態で、絞り羽根１６の板面が駆動リング１３に接触しにくい構成となっている。そして、このピン１５が長孔１３ｂによって作動させられることにより、絞り羽根１６が作動する構成となっている。
【００５１】
次に、本実施例の作動について、図７及び図９を用いて説明する。図７に示すように、撮影する前は、３枚の絞り羽根１６は開口部１２ｂから退避しており、各絞り羽根１６の先端は、隣りあう絞り羽根１６より地板１２側に位置している。そして、このとき、凸部１６ａは夫々長溝１４ａ内の一方の端部に接触している。従って、最大絞り口径が選択されたときには、この状態で撮影が行われる。
【００５２】
撮影に際して、最大絞り口径以外の絞り口径が選択されたときには、駆動源により、図示していない歯車を介して、駆動リング１３が時計回りに回転してゆく。この回転と同時に、長孔１３ｂのカム作用によって、ピン１５は光軸に近付く方向へ移動させられ、同時に、凸部１６ａは長溝１４ａ内を摺動させられてゆく。その結果、各絞り羽根１６は、夫々、地板の外周付近に×印で示す仮想点を中心にして回転した場合と同じように、絞り口径を徐々に小さくしてゆく。そして、所定の口径位置で駆動リング１３を停止させ、撮影が行われる。しかし、最小口径を選択した場合には、駆動リング１３をさらに回転させる。そして、その場合には、最後に、凸部１６ａが、長溝１４ａの他端縁に当接することによって停止し、図９に示すような最小の絞り口径が得られる。
【００５３】
図９の状態で撮影が終わると、駆動リング１３は反時計回りに逆回転させられてゆき、凸部１６ａが長溝１４ａ内の一方の端部に当接してその作動を停止した状態が、図７に示す初期状態である。
【００５４】
上記の説明からも分かるように、従来のように絞り羽根１６に回転軸を設けた場合には、×印の仮想点が各絞り羽根１６の回転軸の位置となる。しかしながら、本実施例においては、その仮想点の位置に回転軸を設けなくて良いので、各羽根１６の面積を小さくすることができ、且つ、地板１２、補助地板１４の外径を小さくすることができて、カメラ全体のコンパクト化に有利となる。なお、本実施例では長溝１４ａの長さ方向の両端を凸部１６ａのストッパにしているが、本発明はこのような構成に限定されず、例えば第１実施例における駆動部材４やピン３、本実施例における駆動リング１３を直接ストッパに当接させるようにしても構わない。また、本実施例は絞り機構として説明したが、長孔１３ｂの形状や、長溝１４ａの長さ等を変更することによって、各絞り羽根１６の作動角を大きくすれば、シャッタ機構としても採用することが可能である。
【００５５】
〔第４実施例〕
本実施例は、本発明をフォーカルプレンシャッタ機構として構成したものである。なお、図１０及び図１１は、撮影者側から視た本実施例の平面図である。
【００５６】
本実施例は、矩形の地板１７と、地板１７の大きさにほぼ等しい補助地板との間を、第３の板材としての中間板１８で仕切って、二つの羽根室を形成しているが、図面を見やすくするために、図１０及び図１１においては補助地板の図示を省略している。そして、この二つの羽根室の夫々に、シャッタ羽根１９，２０を別々に配置している。
【００５７】
地板１７は、図１０及び図１１に示すように、左右に略台形の貫通孔である窓部１７ａ，１７ｂを有し、略中央に露光開口を規制する長方形の開口部１７ｃを有している。そして、地板１７の羽根室側の面には、×印で示した二つの仮想点（各図の左右側）を中心にした半径で各々円弧状の長溝１７ｄ，１７ｅを形成している。そして、この長溝１７ｄ，１７ｅは、地板１７を貫通しておらず、それらの底部に奥壁部１７ｄ−１，１７ｅ−１を有している。
【００５８】
地板１７と中間板１８との間の羽根室には、シャッタ羽根１９が配置されている。このシャッタ羽根１９は、長孔１９ａを有していて、その長孔１９ａ内には、図示しない駆動部材のピン２１を窓部１７ａから羽根室内へ挿入して嵌合させており、ピン２１の往復作動によってシャッタ羽根１９を往復作動させる構成としている。また、この長孔１９ａの近傍位置には、地板１７側へ突出した円柱状の摺接部１９ｂと、その摺接部１９ｂよりも大きい半径の円柱状をしていて中間板１８側へ突出した摺接部１９ｃとを有しており、それらの先端が地板１７と中間板１８に摺接するように構成されている。
【００５９】
また、シャッタ羽根１９の先端部には、地板１７の長溝１７ｄに摺動可能に嵌合する凸部１９ｄを設けており、その反対面には、凸部１９ｄと同じ形状の摺接部１９ｅを設けている。この凸部１９ｄは、長溝１７ｄと同一半径で円弧状に形成されていて、その高さは長溝１７ｄよりも大きくなっているので、凸部１９ｄの先端が長溝１７ｄの奥壁部１７ｄ−１と摺動する時、シャッタ羽根１９の板面が地板１７に接触しにくくなっている。更に、シャッタ羽根１９は摺接部１９ｃ，１９ｅが中間板１８に摺接するので、シャッタ羽根１９の板面が中間板１８に接する場合に比べて摩擦の少ない構成となっている。
【００６０】
中間板１８は、図１１に示すように、地板１７よりもやや小さい矩形であり、その左右には地板１７の窓部１７ａ，１７ｂよりも大きい略台形の窓部１８ａ，１８ｂを設け、その略中央には開口部１７ｃよりもやや大きい開口部１８ｄを設けている。そして、地板１７に設けられた長溝１７ｅに重なる位置に、地板１７の長溝１７ｅよりもやや大きい形状の貫通孔１８ｃを有している。
【００６１】
中間板１８と図示していない補助地板の間に形成された羽根室には、図１１に示すように、上記したシャッタ羽根１９を裏返した形状のシャッタ羽根２０が配置されている。そして、このシャッタ羽根２０は、中間板１８の貫通孔１８ｃを貫通して地板１７の長溝１７ｅに摺動可能に嵌合する凸部２０ｄを有していて、この凸部２０ｄは、長溝１７ｅと同一半径で円弧状に形成されている。
【００６２】
そして、このシャッタ羽根２０にも、中間板１８側に摺接部２０ｂが設けられ、補助地板側に二つの摺接部２０ｃ，２０ｅが設けられており、摺接部２０ｂが中間板１８と摺接し、摺接部２０ｃ，２０ｅが補助地板と摺接する構成となっている。また、ピン２１とは別の図示しない駆動部材のピン２２が羽根室外から窓部１７ｂ，１８ｂに挿入され、シャッタ羽根２０の長孔２０ａに嵌合している。
【００６３】
次に、本実施例の作動について説明する。撮影する前には、図１０に示すように、中間板１８と補助地板との間にあるシャッタ羽根２０が、露光用の開口部１７ｃを覆っている。このとき、図示していない駆動部材のピン２２は、窓部１７ｂ，１８ｂ内において、開口部１７ｃに近接する側の端部付近に位置しており、凸部２０ｄは、地板１７の長溝１７ｅ内において、開口部１７ｃに近接する側の端部に位置している。また、シャッタ羽根１９は開口部１７ｃから退避した位置にある。このとき、図示していない駆動部材のピン２１は、窓部１７ａ，１８ａ内において、開口部１７ｃから遠い側の端部付近に位置しており、凸部１９ｄは、長溝１７ｄ内において、開口部１７ｃから遠い側の端部に位置している。
【００６４】
撮影が開始されると、先ず、ピン２２が駆動部材により駆動されて、窓部１７ｂ，１８ｂ内を開口部１７ｃから遠ざかる方向へと移動してゆく。このピン２２の移動と同時に、シャッタ羽根２０の凸部２０ｄも地板１７の長溝１７ｅ内を摺動して、開口部１７ｃから遠ざかる方向へと移動してゆく。そして、このとき、摺接部２０ｂは中間板１８に対して摺動し、摺接部２０ｃ，２０ｅが補助地板に対して摺動してゆくので、シャッタ羽根２０は、光軸に垂直な面に対する姿勢を好適に維持しながら作動してゆく。そして、凸部２０ｄが長溝１７ｅの開口部１７ｃから遠い側の端部に当接すると、シャッタ羽根２０の作動が停止する。
【００６５】
その後、他方の駆動部材が作動すると、ピン２１が窓部１７ａ，１８ａ内を開口部１７ｃに近付く方向へ作動する。そのため、シャッタ羽根１９の凸部１９ｄが地板１７の長溝１７ｄ内を開口部１７ｃに近付く方向へ摺動してゆき、シャッタ羽根１９の摺接部１９ｂが地板１７に対して摺動し、摺接部１９ｃ，１９ｅが中間板１８に対して摺動してゆく。従って、シャッタ羽根１９は、その姿勢を、光軸に対する垂直な面に保たれたまま、好適に作動する。そして、凸部１９ｄが長溝１７ｄの開口部１７ｃに近い側の端部に当接すると、シャッタ羽根１９の作動が停止し、撮影が終了する。このとき、開口部１７ｃは図１１に示すように、シャッタ羽根１９で覆われた状態となる。
【００６６】
本実施例の場合は、この図１１の状態から、先ずシャッタ羽根１９を上記とは逆に作動させ、次にシャッタ羽根２０を上記とは逆に作動させることによって、次の撮影を行わせることが可能である。しかしながら、次の撮影も上記と同様にして行わせるために、上記の撮影終了後、シャッタ羽根２０、シャッタ羽根１９の順で、図１０の状態にセットするようにしても構わない。また、上記した各実施例では、各羽根の仮想点が地板内にあるが、本発明においては、地板の外に設ける場合であっても構わない。
【００６７】
【発明の効果】
以上のように、本発明によれば、羽根は、その凸部が、地板の長溝に案内されて所定の軌跡上を作動するため、従来のような回転軸を設けなくてもよくなり、羽根の面積を小さくしたり、形状設計に自由度が増すという特徴がある。
【図面の簡単な説明】
【図１】第１実施例の絞り機構における大口径選択状態を示した平面図である。
【図２】図１に示すＡ−Ａ線断面図である。
【図３】第１実施例の小口径選択状態を示した平面図である。
【図４】第２実施例のレンズシャッタ機構における閉鎖状態を示した平面図である。
【図５】図４に示すＢ−Ｂ線断面図である。
【図６】第２実施例の全開状態を示した平面図である。
【図７】第３実施例の絞り機構における最大口径選択状態を示した平面図である。
【図８】図７に示すＣ−Ｃ線断面図である。
【図９】第３実施例の最小口径選択状態を示した平面図である。
【図１０】第４実施例のフォーカルプレンシャッタにおける撮影前の状態を示した平面図である。
【図１１】第４実施例の撮影直後の状態を示した平面図である。
【符号の説明】
１，７，１２，１７        地板
１ａ，２ｂ，７ａ，１２ｂ，１４ｂ，１７ｃ，１８ｄ  開口部
１ｂ，７ｂ，１７ａ，１７ｂ，１８ａ，１８ｂ  窓部
１ｃ，７ｃ，７ｄ，１４ａ，１７ｄ，１７ｅ    長溝
１ｃ−１，７ｃ−１，７ｄ−１，１４ａ−１，１７ｄ−１，１７ｅ−１  奥壁部
１ｄ                      案内部
２，１６                  絞り羽根
２ａ，９ａ，１０ａ，１３ｂ，１９ａ，２０ａ  長孔
２ｃ，９ｂ，１０ｂ，１６ａ，１９ｄ，２０ｄ  凸部
３，１１，１５，２１，２２  ピン
４                        駆動部材
５                        軸
６                        Ｅリング
７ｅ，８ａ                肉厚部
８，１４                  補助地板
８ｂ                      窪み部
９，１０，１９，２０      シャッタ羽根
９ｃ，１０ｃ，１９ｂ，１９ｃ，１９ｅ，２０ｂ，２０ｃ，２０ｅ
摺接部
１２ａ                      受け部
１３                        駆動リング
１３ａ                      歯部
１８                        中間板
１８ｃ                      貫通孔
【図１】
0003847157.tif 000002
【図２】
0003847157.tif 000003
【図３】
0003847157.tif 000004
【図４】
0003847157.tif 000005
【図５】
0003847157.tif 000006
【図６】
0003847157.tif 000007
【図７】
0003847157.tif 000008
【図８】
0003847157.tif 000009
【図９】
0003847157.tif 000010
【図１０】
0003847157.tif 000011
【図１１】
0003847157.tif 000012